(57)【特許請求の範囲】
【請求項１】
像担持体と、
前記像担持体を帯電する帯電部材と、
前記像担持体上に潜像を形成する潜像形成手段と、
前記像担持体に形成された前記潜像を現像剤像として現像する現像部材と、
前記像担持体に現像された前記現像剤像を記録材に転写する転写部材と、
前記転写部材に所定極性の電圧を印加し、該電圧を印加することにより前記転写部材に流れる電流を検出する電流検出手段を有する転写電圧印加手段と、
前記転写電圧印加手段の電圧出力側であって、且つ、前記電流検出手段と接続されており、前記転写部材および前記帯電部材に前記所定極性とは逆極性の電圧を印加する帯電電圧印加手段と、
前記帯電電圧印加手段から前記帯電部材に電圧を印加した際に、前記転写電圧印加手段の前記電流検出手段によって、前記帯電部材に電圧を印加したことにより生じる前記帯電電圧印加手段の負荷変動に応じた電流を検出して、検出結果に基づき前記帯電部材と前記像担持体との間で放電が開始する際の放電開始電圧を算出する算出手段と、
を備えることを特徴とする画像形成装置。
【請求項２】
前記帯電電圧印加手段は、前記像担持体をクリーニングするために前記転写部材に前記所定極性とは逆極性の電圧を印加することを特徴とする請求項１に記載の画像形成装置。
【発明の詳細な説明】
【技術分野】
【０００１】
本発明は、電子写真方式などの画像形成装置に関するものであり、特に、帯電部材を介し被帯電体に帯電させる帯電装置を備える画像形成装置に関する。
【０００２】
ここで電子写真方式の画像形成装置としては、例えば、電子写真複写機、電子写真プリンタ（例えば、ＬＥＤプリンタ、レーザビームプリンタ等）、及び電子写真ファクシミリ装置等が含まれる。
【背景技術】
【０００３】
画像形成装置のうちレーザビームプリンタを例にとって説明する。レーザビームプリンタは、図１０に示すような構造をしている。図１０で、１０１は感光層を有する像担持体である感光ドラムである。また、１０３は光源としての半導体レーザ、１０５はスキャナモータ１０４にて回転する回転多面鏡、１０６は半導体レーザ１０３から照射され、感光ドラム１０１上（像担持体上）を走査するレーザビームである。１２２は、交換可能のカートリッジである。カートリッジ１２２は、感光ドラム１０１に当接され感光ドラム１０１上を一様に帯電するための帯電ローラ１０２（帯電部材）、感光ドラム１０１上に形成された静電潜像（潜像）をトナー（現像剤）にて現像するための現像器１０７により構成される。なお、１２４は現像ローラで、不図示の高圧電源により電圧を印加され、感光ドラム１０１上の静電潜像をトナー像（現像剤像）とする。１０８は、記録用紙（記録材）の裏面からトナーの保持する電荷と逆極性の転写電圧を印加され、現像器１０７にて現像されたトナー像を所定の記録用紙に転写するための転写ローラである。また、１０９は記録用紙に転写されたトナーを熱にて融着するための定着器である。
【０００４】
１１６は記録用紙をセットする手差しトレイ、１１０は１回転することにより手差しトレイ１１６から記録用紙を給紙し、搬送路に送り出す記録用紙の給紙ローラである。１１４は給紙された記録用紙に対し、感光ドラム１０１への画像書き込み（記録／印字）と記録用紙搬送の同期を取るとともに、給紙された記録用紙の搬送方向の長さを測定するためのトップセンサである。また、１１１は定着後の記録用紙を排紙トレイ１１７へ排出するための排紙ローラ、１１５は定着後の記録用紙の有無を検出するための排紙センサである。１１２はＣＰＵ１１３を備え、上記のような構成部を制御するエンジンコントローラである。１１８は不図示のホストコンピュータ等の外部機器から送られる画像コードデータを、プリンタの印字に必要なビットデータに展開するとともに、レーザビームプリンタの内部情報を読み取りそれを表示するためのプリンタコントローラである。
【０００５】
次に、エンジンコントローラ１１２とプリンタコントローラ１１８を含むレーザビームプリンタ全体の回路構成のブロック図を図１１に示す。図１１において、２０１はプリンタ本体、１１８は不図示のホストコンピュータ等の外部機器から送られる画像コードデータをプリンタの印字に必要なビットデータに展開するためのプリンタコントローラである。１１２はレーザビームプリンタエンジンの各部をプリンタコントローラ１１８の指示にしたがってプリント動作を制御するとともに、プリンタコントローラ１１８へプリンタ内部情報を報知するためのエンジンコントローラ（エンジン制御部）である。
【０００６】
２０３は帯電、現像、転写等各工程における各高圧出力制御をエンジンコントローラ１１２の指示にしたがって行う高圧制御部である。２０４はスキャナモータ１０４の駆動／停止、半導体レーザ１０３の点灯をエンジンコントローラ１１２の指示にしたがって制御する光学系制御部である。２０６は定着温度検知サーミスタ１２１（図１０参照）からの温度情報に応じて、定着ヒータ１２０（図１０参照）への通電の駆動／停止を、エンジンコントローラ１１２の指示にしたがって行う定着器温調制御部である。２０５は、トップセンサ１１４、排紙センサ１１５の紙有無状態をエンジンコントローラ１１２へ報知するセンサ入力部である。２０２はエンジンコントローラ１１２の指示にしたがい、記録用紙搬送のためにモータ／ローラ等の駆動／停止を行う用紙搬送制御部で、給紙ローラ１１０、定着器１０９のローラ、排紙ローラ１１１の駆動／停止の制御をつかさどるものである。
【０００７】
図１２に、帯電部材に直流成分のバイアスを印加する帯電バイアス回路の概略構成を示す。１２０１は帯電ＤＣバイアスの回路部（帯電バイアス印加回路部）である。１２０２は電圧設定回路部で、ＰＷＭ（Ｐｕｌｓｅ  Ｗｉｄｔｈ  Ｍｏｄｕｌａｔｉｏｎ）信号に応じて、設定値が変えられる。１２０３はトランス駆動回路部、１２０４は高圧トランス部である。１２０５はフィードバック回路部で、帯電部材（負荷）に印加される電圧値を抵抗Ｒ１２０１で検出して、アナログ値として電圧設定回路部１２０２に伝送する。そして、この値をもとに、帯電部材（帯電ローラ（Ｃローラ））１２０６に一定の電圧が印加されるように制御される。このような構成で、一連の制御を行うことで、帯電部材（帯電ローラ（Ｃローラ））１２０６に一定の電圧値を印加することが可能となる（例えば、特許文献１参照）。
【特許文献１】特開平０６−００３９３２号公報
【発明の開示】
【発明が解決しようとする課題】
【０００８】
しかしながら、帯電部材（Ｃローラ）と被帯電体（像担持体）の間で放電が開始する電圧（放電開始電圧）は、環境温湿度、ドラム厚（ドラムの感光層の厚み）等で変化する。ここで図１３を用いて、環境温湿度の変化に伴い放電開始電圧が変化し、ドラム電位にバラツキが生じることを説明する。図１３は帯電バイアス印加回路部１２０１におけるＰＷＭ設定値とドラム電位の関係を示すグラフである。ここで、ドラム電位とは、感光ドラム１０１の表面電位のことをいう。図１３に示すように、高温度かつ高湿度の環境（図中、環境Ｈ／Ｈと記す）のときは放電開始電圧がＶ１、通常温度かつ通常湿度の環境（環境Ｎ／Ｎ）のときは放電開始電圧がＶ２、低温度かつ低湿度の環境（環境Ｌ／Ｌ）のときは放電開始電圧がＶ３となる。なお、具体的な温度と湿度の目安は、Ｈ／Ｈ環境下では温度３０℃、相対湿度８０％の高温高湿環境下となる。また、Ｎ／Ｎ環境下では温度２３℃、相対湿度６０％の常温常湿環境下となる。さらに、Ｌ／Ｌ環境下では温度１５℃、相対湿度１０％の低温低湿環境下となる。このように放電開始電位が環境温湿度に応じて変化するため、制御ＰＷＭ値を一定にしてもドラム電位にバラツキが生じる。
【０００９】
このように、所定の電圧を印加しても、ドラム電位が環境温湿度、ドラム厚等でバラツキ（図１３）が発生し、画像濃度のバラツキ要因となっていた。この濃度バラツキの補正を行うため、濃度検知センサや温湿度センサ等の高価なセンサを設ける必要があった。
【００１０】
本発明はこのような点に着目してなされたもので、濃度検知センサや温湿度センサ等の高価なセンサを設けることなく、環境変動やドラム膜厚の変化によるドラム電位のバラツキを安価で防止できる画像形成装置を提供することを課題とする。
【課題を解決するための手段】
【００１１】
上記を解決するために、本発明の画像形成装置は以下の構成を備える。
【００１２】
（１）像担持体と、前記像担持体を帯電する帯電部材と、前記像担持体上に潜像を形成する潜像形成手段と、前記像担持体に形成された前記潜像を現像剤像として現像する現像部材と、前記像担持体に現像された前記現像剤像を記録材に転写する転写部材と、前記転写部材に所定極性の電圧を印加し、該電圧を印加することにより前記転写部材に流れる電流を検出する電流検出手段を有する転写電圧印加手段と、前記転写電圧印加手段の電圧出力側であって、且つ、前記電流検出手段と接続されており、前記転写部材および前記帯電部材に前記所定極性とは逆極性の電圧を印加する帯電電圧印加手段と、前記帯電電圧印加手段から前記帯電部材に電圧を印加した際に、前記転写電圧印加手段の前記電流検出手段によって、前記帯電部材に電圧を印加したことにより生じる前記帯電電圧印加手段の負荷変動に応じた電流を検出して、検出結果に基づき前記帯電部材と前記像担持体との間で放電が開始する際の放電開始電圧を算出する算出手段と、を備えることを特徴とする画像形成装置。
【発明の効果】
【００１３】
本発明によれば、濃度検知センサや温湿度センサ等の高価なセンサを設けることなく、環境変動やドラム膜厚の変化によるドラム電位のバラツキを安価で防止できる効果がある。
【発明を実施するための最良の形態】
【００１４】
以下、本発明の好適な実施の形態について添付図面を参照して説明する。
【実施例１】
【００１５】
本実施例は、次のような構成とすることを特徴とする。まず、１つの高圧トランスから帯電バイアスと転写クリーニングバイアス（以下転写負と記載）に同極性の高圧出力を印加する構成とする。このような構成において、帯電バイアスは所望の電圧を印加できる定電圧電源を備え、帯電バイアスを除々に印加したときの転写負に流れる電流値を、転写バイアス（以下転写正と記載）に設けられている電流検出手段としての電流検出回路からモニタする。そのモニタした電流値が所望の値になったときの定電圧電源の出力電圧を検出し、その検出した電圧をもとに、感光ドラムの表面電位であるドラム上の電位（以下、ドラム電位）を一定に制御することを特徴とする。
【００１６】
図１に本実施例における画像形成装置の概略図を示す。本実施例の画像形成装置は、次のように構成されている。まず、感光ドラム１０１（像担持体）、帯電部材（帯電ローラ（Ｃローラ））１０２（以下Ｃローラと記載）、現像ローラ１２４（現像部材）、転写ローラ１０８（転写部材）から構成されている。また、帯電バイアス＋転写負印加回路１２５（帯電電圧印加手段）、例えば半導体レーザなどのレーザ光源１０３（潜像手段）、転写正印加回路１２６（転写電圧印加手段）から構成されている。なお、１０６はレーザ光源１０３から発射され、感光ドラム１０１上を走査するレーザビームである。また、転写ローラ１０８には、転写正回路から出力される転写電圧と逆極性の電圧を、転写負回路により印加することによって、転写ローラ１０８に付着したトナーを除去し、クリーニングを行う。
【００１７】
図２に本発明の実施例１における帯電バイアス回路、転写負回路、転写正回路の概略構成を示す。２１６は電圧設定回路部で共有＿ＰＷＭ信号２０７に応じて、帯電バイアス、転写負バイアス値が変えられる。すなわち、可変に印加することができる。２０９は共有トランス駆動回路部、２１０は共有高圧トランスである。共有高圧トランス２１０には、帯電整流回路部２１２と転写負整流回路部２１３が接続される。そして、それぞれ帯電出力の出力電圧値Ｖｏｕｔ１と転写負出力の出力電圧値Ｖｏｕｔ２を生成し、Ｃローラ１０２及び、転写ローラ１０８に供給している。
【００１８】
また、転写正回路では、転写正＿ＰＷＭ信号２１８に応じて、転写正バイアス値が決定する。２０８は転写正トランス駆動回路部、２１１は転写正高圧トランスである。転写正高圧トランス２１１には、転写正整流回路部２１５が接続され、転写正出力を転写ローラ１０８に供給している。
【００１９】
２１７はフィードバック回路部で抵抗Ｒ２０１を介して出力電圧値Ｖｏｕｔ１をモニタし、共有＿ＰＷＭ信号２０７の設定に応じた出力電圧値Ｖｏｕｔ１になるように設けられた回路である。そのときの出力電圧値Ｖｏｕｔ２には、共有＿ＰＷＭ信号２０７の設定に応じた出力電圧値Ｖｏｕｔ１になるために必要な共有高圧トランス２１０の昇圧電圧に応じた電圧値が出力される。２１４は転写電流検出回路部で、転写ローラ１０８に流れる電流値Ｉ２０３を検出して、Ｊ２０１からアナログ値としてエンジンコントローラ１１２内のＣＰＵ１１３に伝送される。なお、Ｉ２０３は感光ドラム１０１とＣローラ１０２間で放電が開始するまでの電流、Ｉ２０４は感光ドラム１０１とＣローラ１０２間で放電が開始したときの電流である。
【００２０】
感光ドラム１０１とＣローラ１０２間で放電が開始するまでは、感光ドラム１０１とＣローラ１０２間は絶縁されている。そのため放電が開始されるまでは、共有高圧トランス２１０の負荷は抵抗Ｒ２０１のみである。そのため共有高圧トランス２１０からは、抵抗Ｒ２０１に応じた昇圧電圧を帯電整流回路部２１２に発生する。そのときに転写負整流回路部２１３にも、抵抗Ｒ２０１に応じた昇圧電圧が共有高圧トランス２１０から出力され、転写電流検出回路部２１４の検出抵抗Ｒ２０２には電流Ｉ２０３が流れる。
【００２１】
感光ドラム１０１とＣローラ１０２間で放電が開始されると、共有高圧トランス２１０の負荷は抵抗Ｒ２０１とＣローラ１０２の並列接続された値となる。なお、負荷が並列接続されたときの合成値を「Ｒ２０１／／Ｃローラ１０２」のように表すこととする。そうすると、共有高圧トランス２１０の負荷は、Ｒ２０１＞Ｒ２０１／／Ｃローラ１０２になるため、共有高圧トランス２１０から帯電整流回路部２１２に出力する昇圧電圧が大きくなる。これに伴って、共有高圧トランス２１０から転写負整流回路部２１３に出力する昇圧電圧も大きくなり、検出抵抗Ｒ２０２には電流Ｉ２０４（Ｉ２０４＞Ｉ２０３）が流れる。
【００２２】
ここで、図３はＰＷＭ設定値と電流値（［ｕＡ］）との関係を示すグラフ（帯電バイアス印加時のＶ−Ｉ特性図）である。図３の直線〔１〕（図中、実線で示す）に示すように放電が開始されるまでは、Ｒ２０１の負荷に応じた昇圧電圧が転写負整流回路部２１３に出力され、検出抵抗Ｒ２０２には電流Ｉ２０３が流れる。しかし、感光ドラム１０１とＣローラ１０２間で放電が開始されると、Ｒ２０１／／Ｃローラ１０２の負荷に応じた昇圧電圧が転写負整流回路部２１３に出力され、検出抵抗Ｒ２０２には電流Ｉ２０４が流れる。つまり、図３の直線〔２〕（図中、破線で示す）に示すように放電が開始した時点で分岐点をもった曲線となる。このことから、直線〔２〕から直線〔１〕を引いたΔ値を算出することで、Δ値が所望の電流値になった時点を放電が開始した電圧と判断する。
【００２３】
放電を開始した電圧が検出できた後は、図４に示すように所定の電圧値（ΔＰＷＭ）を放電開始電圧に加算する。ここで図４について説明する。図４は帯電バイアス回路におけるＰＷＭ設定値とドラム電位（［Ｖ］）の関係を示すグラフ（放電開始電圧検出後のドラム電位補正の概略を示すグラフ）である。図４に示すように、高温度かつ高湿度の環境（図中、環境Ｈ／Ｈと記す）のときは放電開始電圧がＶ１、通常温度かつ通常湿度の環境（環境Ｎ／Ｎ）のときは放電開始電圧がＶ２、低温度かつ低湿度の環境（環境Ｌ／Ｌ）のときは放電開始電圧がＶ３となる。なお、具体的な温度と湿度の目安は、Ｈ／Ｈ環境下では温度３０℃、相対湿度８０％の高温高湿環境下となる。また、Ｎ／Ｎ環境下では温度２３℃、相対湿度６０％の常温常湿環境下となる。さらに、Ｌ／Ｌ環境下では温度１５℃、相対湿度１０％の低温低湿環境下となる。このように放電開始電圧が環境温湿度に応じて変化するが、所定の電圧値ΔＰＷＭを放電開始電圧に加算することにより、ドラム電位が一定となっている。
【００２４】
本実施例のフローチャートを図５に示す。図５は、本実施例におけるプリント時のバイアス値を設定する処理を説明するフローチャートである。プリントコマンドを受信（ステップＡ５０１、以降「ステップ」を省略）すると、前回転動作に入り感光ドラム１０１とＣローラ１０２が回転し始める（Ａ５０２）。その後ＰＷＭ〔１〕で所定のバイアス値を印加（Ａ５０３）、転写ローラ１０８に流れる電流Ｉ２０３をＪ２０１からアナログ値としてＣＰＵ１１３で検出する（Ａ５０４）。すなわち、転写電流検出回路部２１４より電流を検出する（Ａ５０４）。その検出値より放電電流を算出する（Ａ５０５）。そして、その算出値とΔ値（図３）を比較し、Δ値の公差内となっているか（Δ公差小＜算出値＜Δ公差大）否かの判断を行う（Ａ５０６）。比較の結果、大きい場合（Δ公差大よりも大きい場合）には（Ａ５０６  ＹＥＳ大きい）、放電開始電圧はより低いと判断しバイアス設定ＰＷＭ〔１〕値をダウン（低く）する（Ａ５０７）。小さい場合（Δ公差小よりも小さい場合）には（Ａ５０６  ＮＯ小さい）、放電開始電圧はより高いと判断しバイアス設定ＰＷＭ〔１〕値をアップ（高く）させる（Ａ５０８）。この制御を行い、バイアス設定ＰＷＭ〔１〕を変える過程で、Δ値の公差内となった場合に（Ａ５０６  ＹＥＳ）、そのときのバイアス設定値（Ａ５０５での算出バイアス値）を放電開始電圧ＰＷＭ〔２〕と設定する（Ａ５０９）。その後、放電開始電圧（ＰＷＭ〔２〕）にドラム電位に相当するバイアス値（ΔＰＷＭ）を加算し（Ａ５１０）、プリント時のバイアス値（ＰＷＭ〔３〕＝ＰＷＭ〔２〕＋ΔＰＷＭ）を設定する（Ａ５１１）。この設定終了後、プリントが開始される（Ａ５１２）。
【００２５】
以上のように放電開始電圧を検出し、ドラム電位に相当するバイアス値を放電開始電圧に加算することで、環境変動が生じても一定のドラム電位を印加できる。
【実施例２】
【００２６】
実施例２の構成は実施例１とほぼ同じであるが、本実施例では、カートリッジにプロセス情報等を記憶できる不揮発性メモリを備え、不揮発性メモリの情報によりドラム上の電位を設定できることを特徴とする。
【００２７】
本実施例の説明で実施例１と重複する箇所については省略し、同じ構成のものには同じ符号を用いて説明する。
【００２８】
図６は本実施例の不揮発性メモリ装着を説明するカートリッジ概略図、図７はレーザビームプリンタとカートリッジの不揮発性メモリの通信形態との通信形態を説明する図である。不揮発性メモリ６０１は図６のようにカートリッジ１２２に装着されている。図７のように、エンジンコントローラ１１２のＣＰＵ１１３は、カートリッジ１２２の使用状態等が記憶された不揮発性メモリ６０１（記憶媒体）と通信を行うことでカートリッジ１２２の使用状態等を検知する。
【００２９】
本実施例のフローチャートを図８に示す。図８は、本実施例におけるプリント時のバイアス値を設定する処理を説明するフローチャートである。まずプリントコマンド受信後（Ａ８０１）、エンジンコントローラ１１２のＣＰＵ１１３は不揮発性メモリ６０１と通信（Ａ８０２）を行い、カートリッジ１２２の使用頻度（ドラム寿命、プリント枚数等）を判断する（Ａ８０３）。そしてカートリッジ１２２の使用頻度に応じて加算するＰＷＭ値をΔＰＷＭ＋ａにするか（Ａ８０４）、ΔＰＷＭ＋ｂにするか決定する（Ａ８１５）。その後前回転動作に入り感光ドラム１０１とＣローラ１０２が回転し始める（Ａ８０５，Ａ８１６）。その後ＰＷＭ〔１〕で所定バイアスを印加（Ａ８０６，Ａ８１７）、転写ローラ１０８に流れる電流Ｉ２０３を転写電流検出回路部２１４によりＪ２０１からアナログ値をＣＰＵ１１３で検出する（Ａ８０７，Ａ８１８）。その検出値から放電電流を算出する（Ａ８０８，Ａ８１９）。
【００３０】
そして、その算出値とΔ値を比較し、Δ値の公差内となっているか（Δ公差小＜算出値＜Δ公差大）否かの判断を行う（Ａ８０９，Ａ８２０）。Ａ８０９又はＡ８２０での比較の結果、大きい場合（Δ公差大よりも大きい場合）には（Ａ８０９又はＡ８２０  ＹＥＳ大きい）、放電開始電圧はより低いと判断しバイアス設定ＰＷＭ〔１〕値を低く（ダウン）する（Ａ８１１，Ａ８２２）。小さい場合（Δ公差小よりも小さい場合）には（Ａ８０９又はＡ８２０  ＮＯ小さい）、放電開始電圧はより高いと判断しバイアス設定ＰＷＭ〔１〕値を高く（アップ）する（Ａ８１０，Ａ８２１）。この制御を行いΔ値の公差内となった場合に（Ａ８０９又はＡ８２０  ＹＥＳ）、そのときのバイアス設定値（Ａ８０８又はＡ８１９での算出バイアス値）を放電開始電圧ＰＷＭ〔２〕と設定する（Ａ８１２，Ａ８２３）。その後、放電開始電圧（ＰＷＭ〔２〕）にドラム電位に相当するバイアス値（ΔＰＷＭ＋ａ又はΔＰＷＭ＋ｂ）を加算する（Ａ８１３，Ａ８２４）。そして、プリント時のバイアス値（ＰＷＭ〔３〕＝ＰＷＭ〔２〕＋ΔＰＷＭ＋ａ、又は、ＰＷＭ〔３〕＝ＰＷＭ〔２〕＋ΔＰＷＭ＋ｂ）を設定する（Ａ８１４，Ａ８２５）。この設定終了後、プリントが開始される（Ａ８２６）。
【００３１】
図９に放電開始電圧に加算するΔＰＷＭ＋ａ、ΔＰＷＭ＋ｂについて示す。図９は帯電バイアス回路におけるＰＷＭ設定値とドラム電位の関係を示すグラフ（放電開始電圧検出後のドラム電位補正概略を示すグラフ）である。図９に示すように、感光ドラム１０１の膜厚（以下、ドラム膜厚とする）が小さいときは放電開始電圧がＶ１、ドラム膜厚が大きいときは放電開始電圧がＶ２となる。ここで、ドラム膜厚とカートリッジ１２２の使用頻度との関係を説明する。感光ドラム１０１は回転駆動され、その累積の回転時間と感光ドラム１０１の表面の電位を均一化するためのＣローラ１０２による累積の帯電時間とがドラム膜厚の変化の大きな要因となる。感光ドラム１０１の回転時間が短く、Ｃローラ１０２による帯電時間が短い状態、すなわち使用頻度が少ない状態ではドラム膜厚は大きい。一方、感光ドラム１０１の回転時間が長く、Ｃローラ１０２による帯電時間が長い状態、すなわち使用頻度が多い状態ではドラム膜厚が小さくなる。このように放電開始電圧は、ドラム膜厚、すなわち、カートリッジ１２２の使用頻度に応じて変化するが、所定の電圧値ΔＰＷＭ＋ａ又はΔＰＷＭ＋ｂを放電開始電圧に加算することにより、ドラム電位が一定とすることができる。
【００３２】
このようにカートリッジ使用頻度によって放電開始電圧からのＶ−Ｉ特性傾きが異なるため、ドラム電位を一定にするためにΔＰＷＭにカートリッジ使用頻度に応じた設定値ａ又はｂを加算する。
【００３３】
このように、本実施例によれば、カートリッジの使用頻度に応じた最適なドラム電位を設定することが可能となる。
【図面の簡単な説明】
【００３４】
【図１】実施例１、２に係る画像形成装置の要部概略構成図
【図２】実施例１、２に係る帯電バイアス回路、転写負回路、転写正回路の構成図
【図３】実施例１、２に係るＰＷＭ設定値と電流値（［ｕＡ］）との関係を示すグラフ
【図４】実施例１に係る帯電バイアス回路におけるＰＷＭ設定値とドラム電位（［Ｖ］）の関係を示すグラフ
【図５】実施例１に係るプリント時のバイアス値を設定する処理を説明するフローチャート
【図６】実施例２に係る不揮発性メモリ装着を説明するカートリッジ概略図
【図７】実施例２に係るレーザビームプリンタとカートリッジの不揮発性メモリの通信形態を説明する図
【図８】実施例２に係るプリント時のバイアス値を設定する処理を説明するフローチャート
【図９】実施例２に係る帯電バイアス回路におけるＰＷＭ設定値とドラム電位の関係を示すグラフ
【図１０】本発明に係るレーザビームプリンタ本体の概略断面図
【図１１】本発明に係るレーザビームプリンタ本体の回路構成のブロック図
【図１２】従来例に係る帯電バイアス回路の概略構成図
【図１３】従来例に係る帯電バイアス印加回路部におけるＰＷＭ設定値とドラム電位の関係を示すグラフ
【符号の説明】
【００３５】
１０１    感光ドラム（像担持体）
１０２    Ｃローラ（帯電部材）
１０３    レーザ光源（潜像手段）
１０８    転写ローラ（転写部材）
１２４    現像ローラ（現像部材）
１２５    帯電バイアス＋転写負印加回路（帯電電圧印加手段）
１２６    転写正印加回路（転写電圧印加手段）
【図１】
0005305674.tif 000002
【図２】
0005305674.tif 000003
【図３】
0005305674.tif 000004
【図４】
0005305674.tif 000005
【図５】
0005305674.tif 000006
【図６】
0005305674.tif 000007
【図７】
0005305674.tif 000008
【図８】
0005305674.tif 000009
【図９】
0005305674.tif 000010
【図１０】
0005305674.tif 000011
【図１１】
0005305674.tif 000012
【図１２】
0005305674.tif 000013
【図１３】
0005305674.tif 000014